(57)【特許請求の範囲】
【請求項１】
ディスプレイ装置前面の少なくとも一端部に設けられ付箋内容を表示する複数の液晶表示装置と、手書き入力を行う入力装置と、前記液晶表示装置それぞれに設けられ表示のための記入および消去ボタンと、入力情報を記憶する不揮発メモリと、前記記入および消去ボタンにより前記入力情報を前記液晶表示装置に表示制御を行う制御部とを備えることを特徴とする付箋紙表示機能付きディスプレイ装置。
【請求項２】
液晶表示装置は、ディスプレイ装置の稼働状況に関係なく表示できることを特徴とする請求項１記載の付箋紙表示機能付きディスプレイ装置。
【発明の詳細な説明】
【０００１】
【発明の属する技術分野】
本発明は、ディスプレイ装置に関し、特に付箋紙を表示する機能を有するディスプレイ装置に関する。
【０００２】
【従来の技術】
今日、メモ利用の場面においては、付箋紙がよく使われている。付箋紙は貼付と剥がすことが自在であるため、用件等を記入して目に留まりやすい場所に自由に貼付して使用されている。従来、オフィス環境では付箋紙の貼付場所は、目に留まり易さからパーソナルコンピュータのディスプレイ装置がよく利用され、ディスプレイ装置の表示部の周囲に直接貼付されることが多かった。
【０００３】
【発明が解決しようとする課題】
しかし、このような貼付の形態では、付箋紙に塗布されている粘着物質の劣化、作業者の偶然の接触および空調設備から吹き出す風などの要因により、付箋紙が剥がれ落ちて紛失することがあり、長期間付箋紙を貼付した状態を維持することが困難であった。
【０００４】
また、パーソナルコンピュータのソフトウェアでディスプレイ装置の表示領域内に、付箋紙を模したウィンドウを表示させることが行われているが、この方法では、パーソナルコンピュータが稼働していない状態では、付箋紙を表示できないという欠点があった。
【０００５】
本発明の目的は、以上の問題点を解決する付箋紙の表示防止機能付きのディスプレイ装置を提供することにある。
【０００６】
【課題を解決するための手段】
本発明は、ディスプレイ装置前面の少なくとも一端部に設けられ、仕切りにより複数の収納空間からなる棚部と、前記棚部の側面に設けたスリット状の挿抜口とを備え、棚部の前面側が透明な材料よりなることを特徴とする。
【０００７】
また、本発明は、ディスプレイ装置前面の少なくとも一端部に設けられ、紙片が収納可能な袋状のシート部材からなることを特徴とする。そして、シート部材が複数に仕切られ、透明な材料よりなり、マジックテープによりディスプレイ装置に着脱自在に取り付けられていることを特徴とする。
【０００８】
さらに、本発明は、ディスプレイ装置前面の少なくとも一端部に設けられ付箋内容を表示する液晶表示装置と、手書き入力を行う入力装置と、前記液晶表示装置に設けられ表示のための記入および消去ボタンと、入力情報を記憶する不揮発メモリと、前記記入および消去ボタンにより前記入力情報を前記液晶表示装置に表示制御を行う制御部とを備えることを特徴とする。
【０００９】
また、液晶表示装置およびこれに対応する記入および消去ボタンを複数備えることを特徴とし、液晶表示装置は、ディスプレイ装置の稼働状況に関係なく表示できることを特徴とする。
【００１０】
【発明の実施の形態】
次に、本発明について図面を参照して説明する。図１は、本発明の一実施の形態である付箋紙表示機能付きディスプレイ装置の構造を示す図である。
【００１１】
図１を参照すると、ディスプレイ１１の側面には挿抜口１２が設けられている。挿抜口１２より内部は空洞になっており、付箋紙などの薄い紙片が挿入できる仕組みになっている。挿抜口１２より内部の上下は内部仕切１３によって仕切られている。ディスプレイ１１の表示領域の周囲は透明な素材で構成されている。
【００１２】
続いて、本実施例の動作について、図１を参照して説明する。まず、作業者は付箋紙に必要事項を記入した後、記入した面を手前に向けた状態で、ディスプレイ１１の側面に設けられた挿抜口１２より挿入する。ディスプレイ１１の表示領域の周囲は透明な素材で構成されているので、外部から付箋紙に記入された内容を判読することができる。
【００１３】
挿入口１２より内部は、内部仕切１３によって仕切られており、上部の挿抜口１２より挿入された付箋紙が、下方に落下することはない。付箋紙を内部に挿入する仕組みにより、剥がれによる落下や紛失を防止することができ、長期間付箋紙を保持することができる。用件の済んだ付箋紙は、挿抜口１２より外部へ引き抜き廃棄する。
【００１４】
次に、本発明の他の実施の形態について、図２および図３を参照しながら説明する。
【００１５】
本実施例は、付箋紙表示機能を持たないディスプレイ装置に対しては、図２に示すように、ケース２１をディスプレイ装置にマジックテープ（商標登録）を用いて装着することで対応できる。このとき、ケース２１にマジックテープ２３を接着し、ディスプレイ２２にマジックテープ２４を接着しておくと、必要に応じてディスプレイ２２からケース２１を簡単に着脱することができる。
【００１６】
図３は、図２のケースの拡大図である。ケース３１の側面には付箋紙の挿抜口３２を有する。このケース３１は透明な素材で構成されているので、外部から付箋紙に記入された内容を容易に判読することができる。
【００１７】
挿入口３２より内部は、内部仕切３３によって仕切られており、上部の挿抜口３２より挿入された付箋紙が下方に落下することはない。また、付箋紙を内部に挿入する仕組みにより、剥がれによる落下や紛失を防止することができ、長期間付箋紙を保持することができる。そして、用済みの付箋紙は、挿抜口３２より外部へ引き抜いて廃棄する。
【００１８】
続いて、上述した実施例とは別の実施例の形態について、図４および図５を参照しながら詳細に説明する。
【００１９】
ディスプレイ装置は、図４に示すように、手書き入力用の入力装置４１と付箋内容を表示する液晶表示装置４２と記入ボタン４３と消去ボタン４４とを有する。そして、図５に示すように、入力装置５１と制御部５２と不揮発性メモリ５３と液晶表示装置５４と記入ボタン５５と消去ボタン５６とを含んで構成される。
【００２０】
ここで、本実施例では、利用者が付箋内容を記入する場合、付箋を表示したい位置（１，２，……，ｎ）の記入ボタン５５を押下して入力装置５１に手書き入力する。手書き入力した内容は、図形情報として不揮発性メモリ５３に書き込まれ、指定した位置（１，２，……，ｎ）の液晶表示装置５４に表示される。
【００２１】
このとき、付箋内容はパーソナルコンピュータの稼働状況に関係なく、液晶表示装置５４に表示することができる。そして、用件が済むなどして付箋内容を削除する場合は、当該の位置の液晶表示装置５４に対応する消去ボタン５６を押下することにより、付箋内容が不揮発性メモリ５３から削除され、液晶表示装置５４に表示されていた付箋内容も消去される。
【００２２】
【発明の効果】
以上説明したように本発明は、付箋紙をディスプレイ装置の側部に設けた収納部に挿入する仕組みにより、付箋紙の表示を保持できるという効果がある。また、ディスプレイ装置に手書き入力用の入力装置と付箋内容を表示する液晶表示装置等を備えることにより、パーソナルコンピュータの稼働状況に関係なく、必要に応じて利用者が付箋内容を記入し、液晶表示装置に表示できるという効果がある。
【図面の簡単な説明】
【図１】本発明の一実施の形態である付箋紙表示機能付きディスプレイ装置の構造を示す図である。
【図２】本発明の他の実施の形態を示す図である。
【図３】図２のケースの拡大図である。
【図４】本発明の別の実施例の形態を示す図である。
【図５】図４のディスプレイ装置の内部構成に示す図である。
【符号の説明】
１１    ディスプレイ
１２    挿抜口
１３    内部仕切
２１    ケース
２２    ディスプレイ
２３    マジックテープ
２４    マジックテープ
３１    ケース
３２    挿抜口
３３    内部仕切
４１    入力装置
４２    液晶表示装置
４３    記入ボタン
４４    消去ボタン
５１    入力装置
５２    制御部
５３    不揮発性メモリ
５４    液晶表示装置
５５    記入ボタン
５６    消去ボタン
【図１】
0003669489.tif 000002
【図２】
0003669489.tif 000003
【図３】
0003669489.tif 000004
【図４】
0003669489.tif 000005
【図５】
0003669489.tif 000006